(57)【特許請求の範囲】
【請求項１】
便鉢を有する洋風便器本体の後部上面に載置されるベースプレートと、該ベースプレート上に固定された局部洗浄ノズルと、該ベースプレート上に固定され、該局部洗浄ノズルに供給される洗浄水を貯留し、加熱する温水タンク装置とを備えた局部洗浄装置において、
前記ベースプレートには、前記温水タンク装置のみの周囲を囲み、上端から中間高さまで下方に延びる切欠き部が設けられた防水壁が立設されていることを特徴とする局部洗浄装置。
【請求項２】
前記切欠き部は、前記洋風便器本体の後部上面に載置された際に前記温水タンク装置よりも前記便鉢側に位置する前記防水壁に設けられ、
前記ベースプレートには、前記洋風便器本体の後部上面に載置された際に前記切欠き部から溢れ出た洗浄水が該便鉢方向に流れるように規制する一対の凸条部が設けられている請求項１記載の局部洗浄装置。
【請求項３】
前記ベースプレートは、前記温水タンク装置が固定された後ベースプレートと、該後ベースプレートに組み付けられ、前記局部洗浄ノズルが固定された前ベースプレートとに分割され、
前記凸条部は、該後ベースプレートの上面に設けられた一対の後凸条部と、該各後凸条部の前端から前方へ延ばした延長線を挟むように該前ベースプレートの下面に設けられた弾性を有する一対の前凸条部とからなる請求項２記載の局部洗浄装置。
【請求項４】
前記防水壁の内壁面に設けられた水位検知センサーと、該水位検知センサーの出力に基づいて、該防水壁内の水位が所定以上になったことを報知する報知手段とを有する請求項１乃至３のいずれか１項記載の局部洗浄装置。
【請求項５】
前記温水タンク装置は、温水タンク本体と該温水タンクの洗浄水の流入部に設けられた開閉弁とを有し、
前記防水壁内の水位が所定以上になると、前記水位検知センサーの出力に基づいて、該開閉弁を閉弁する請求項４記載の局部洗浄装置。
【発明の詳細な説明】
【技術分野】
【０００１】
本発明は局部洗浄装置に関する。
【背景技術】
【０００２】
特許文献１には、従来の局部洗浄装置が開示されている。この局部洗浄装置は、便鉢を有する洋風便器本体の後部上面に載置されるベースプレートを備えている。このベースプレート上には、局部洗浄ノズルに供給される洗浄水を貯留し、加熱する温水タンク装置と、便鉢に洗浄水を供給する便器洗浄装置とが隣接して固定されている。また、このベースプレートには、温水タンク装置と便器洗浄装置とを囲む防水壁が立設されている。このため、尿等が外部から防水壁の内部に侵入せず、温水タンク装置や便器洗浄装置の電装部品に尿等がかからず、電装部品のショート等を防止することができる。
【０００３】
【特許文献１】特開２００１−３４２６６９号公報
【発明の開示】
【発明が解決しようとする課題】
【０００４】
しかし、上記従来の局部洗浄装置では、温水タンク装置から漏水が発生した際には、便器洗浄装置の下方にまで温水タンク装置から漏れた洗浄水が広がってしまう。この場合、便器洗浄装置に接続された流入用及び流出用の各洗浄水供給管がベースプレート又は防水壁を貫通していると、その部分から温水タンク装置から漏れた洗浄水が漏水してしまうおそれがある。
【０００５】
本発明は、上記従来の実情に鑑みてなされたものであって、温水タンク装置から漏れた洗浄水を適切に処理することができる局部洗浄装置を提供することを解決すべき課題としている。
【課題を解決するための手段】
【０００６】
本発明の局部洗浄装置は、便鉢を有する洋風便器本体の後部上面に載置されるベースプレートと、該ベースプレート上に固定された局部洗浄ノズルと、該ベースプレート上に固定され、該局部洗浄ノズルに供給される洗浄水を貯留し、加熱する温水タンク装置とを備えた局部洗浄装置において、
前記ベースプレートには、前記温水タンク装置のみの周囲を囲み、上端から中間高さまで下方に延びる切欠き部が設けられた防水壁が立設されていることを特徴とする。
【０００７】
温水タンク装置から洗浄水が漏れた場合、その洗浄水は、温水タンク装置のみの周囲を囲む防水壁内に溜まり、ベースプレート上に広がることが防止される。このため、温水タンク装置から洗浄水が漏れた場合、その洗浄水が局部洗浄装置の任意の箇所から外部に漏水してしまうことを防止することができる。
【０００８】
したがって、本発明の局部洗浄装置は、温水タンク装置から漏れた洗浄水を適切に処理することができる。
【０００９】
防水壁には、上端から防水壁の中間高さまで下方に延びる切欠き部が設けられている。この場合、温水タンク装置から漏れた洗浄水が一定量以上になると切欠き部から洗浄水が溢れ出る。切欠き部を防水壁の所望の箇所に設けることにより、温水タンク装置から漏れた洗浄水を所望の個所へ溢れ出させることができる。このため、切欠き部から溢れ出た洗浄水を適切に処理することができる。
【００１０】
切欠き部は、洋風便器本体の後部上面に載置された際に温水タンク装置よりも便鉢側に位置する防水壁に設けられ、ベースプレートには、洋風便器本体の後部上面に載置された際に切欠き部から溢れ出た洗浄水が便鉢方向に流れるように規制する一対の凸条部が設けられ得る。この場合、切欠き部から溢れ出た洗浄水を便鉢内に排水することができる。
【００１１】
ベースプレートは、温水タンク装置が固定された後ベースプレートと、後ベースプレートに組み付けられ、局部洗浄ノズルが固定された前ベースプレートとに分割され、凸条部は、後ベースプレートの上面に設けられた一対の後凸条部と、各後凸条部の前端から前方へ延ばした延長線を挟むように前ベースプレートの下面に設けられた弾性を有する一対の前凸条部とからなり得る。この場合、切欠き部から溢れ出た洗浄水は、後ベースプレートの上面に設けられた一対の後凸条部の間を流れて後ベースプレートの前端から前ベースプレートの下面に流れ落ちる。その後、洗浄水は、一対の前凸条部と、洋風便器本体の上面と、前ベースプレートの下面とにより形成された隙間を流れ、便鉢の後縁から便鉢内に流入する。このため、温水タンク装置から漏れた洗浄水を便鉢内に良好に排水することができる。
【００１２】
局部洗浄装置は、防水壁の内壁面に設けられた水位検知センサーと、水位検知センサーの出力に基づいて、防水壁内の水位が所定以上になったことを報知する報知手段とを有し得る。この場合、局部洗浄装置の使用者等が温水タンク装置からの漏水を確実に知得することができる。これにより、使用者等は、メンテナンス業者等に修理の依頼をし、温水タンク装置の漏水対策を早期に行うことができる。
【００１３】
温水タンク装置は、温水タンク本体と温水タンクの洗浄水の流入部に設けられた開閉弁とを有し、防水壁内の水位が所定以上になると、水位検知センサーの出力に基づいて、開閉弁を閉弁し得る。これにより、温水タンク本体への洗浄水の供給を停止し、温水タンク本体からの漏水を確実に止めることができる。また、局部洗浄ノズルへの洗浄水の供給が停止されるため、使用者等は、局部洗浄装置を使用するためには、メンテナンス業者等に修理の依頼をしなければならない。このため、温水タンク装置の漏水対策を確実に行なうことができる。
【発明を実施するための最良の形態】
【００１４】
以下、本発明の局部洗浄装置を洋風水洗式便器に具体化した実施例１を図面を参照しつつ説明する。
【実施例１】
【００１５】
図１〜図３に示すように、実施例１の洋風水洗式便器は、便鉢２を有する洋風便器本体１の後部上面に載置されたベースプレート１０と、ベースプレート１０上に固定された局部洗浄ノズル３０と、ベースプレート１０上に固定され、局部洗浄ノズル３０に供給される洗浄水を貯留し、加熱する温水タンク装置２０とを備えた局部洗浄装置を具備している。この局部洗浄装置は、下方に開口する収納ケース６０内に収納される。収納ケース６０は、上面の後部に着脱自在に取り付けられたカバー６１と、上面の前部に回動可能に軸支された便蓋６２及び図示しない便座とを有している。
【００１６】
ベースプレート１０は、後ベースプレート１１と前ベースプレート１２とに分割されている。後ベースプレート１１には、温水タンク装置２０が固定されている。温水タンク装置２０は、温水タンク本体２１と、温水タンク本体２１の洗浄水の流入部に設けられた開閉弁２２とを有している。開閉弁２２には、上流端に接続具２３Ａが設けられた給水ホース２３が接続されている。温水タンク本体２１の上面には、温水タンク本体２１内に貯留され、加熱された洗浄水が流出する流出パイプ２４と、大気開放弁の捨て水が流出する排水パイプ２５とが設けられている。
【００１７】
前ベースプレート１２には、おしり洗浄用ノズルとビデ洗浄用ノズルとを有する局部洗浄ノズル３０が固定されている。局部洗浄ノズル３０は、図示しない可撓性を有するチューブを介して、温水タンク装置２０の流出パイプ２４に接続されている。前ベースプレート１２は、図３に示すように、図示しない昇降装置を介して後ベースプレート１１の前部上方に重なるように組み付けられている。収納ケース６０は、前ベースプレート１２に取り付けられる。このため、前ベースプレート１２及び収納ケース６０は、後ベースプレート１１に対して昇降可能とされている。
【００１８】
後ベースプレート１１及び前ベースプレート１２からなるベースプレート１０には、温水タンク装置２０及び局部洗浄ノズル３０の他に、図示しない温風乾燥装置、空気清浄装置、音楽再生装置、部屋暖房装置及び照明装置が固定される。
【００１９】
図１に示すように、洋風便器本体１の後部上面より上方には、便鉢２へ洗浄水を供給する便器洗浄装置のバルブ本体５０がフレーム５２を介して取り付けられている。フレーム５２は、洋風便器本体１の後部上面に固定されている。バルブ本体５０には、ストレーナ機構、定流量弁機構、開閉弁機構及びバキュームブレーカ機構が内蔵されている。バルブ本体５０は、ストレーナ機構の下流側、かつ定流量弁機構の上流側に温水タンク装置２０に洗浄水を供給する分岐管５１が分岐されている。分岐管５１には、接続具２３Ａにより、温水タンク装置２０の給水ホース２３が接続される。バルブ本体５０の上流側の流入口にはフレキシブルホース５３が接続されている。フレキシブルホース５３の上流端は、図示しない水道管に接続された止水栓に接続されている。また、バルブ本体５０の下流側の流出口は、図示しないフレキシブルホースを介して便鉢２に連通している。
【００２０】
後ベースプレート１１には、後端の一部分から切欠かれた開口部１３が設けられている。この開口部１３は、図２に示すように、後ベースプレート１１が洋風便器本体１に固定された際、バルブ本体５０等を下方から挿通する。図１及び図２に示すように、後ベースプレート１１には、開口部１３に隣接して温水タンク装置２０の載置部１４が設けられている。この載置部１４の周縁には、載置部１４に固定された温水タンク装置２０のみの周囲を囲む防水壁１５が全周囲に亘って立設されている。このため、温水タンク装置２０から洗浄水が漏れた場合、一定量の洗浄水は、防水壁１５内に溜まり、ベースプレート上に広がることが防止される。よって、温水タンク装置２０から洗浄水が漏れた場合、その洗浄水が局部洗浄装置の任意の箇所から外部に漏水してしまうことを防止することができる。
【００２１】
したがって、実施例１の洋風水洗式便器に具体化された局部洗浄装置は、温水タンク装置２０から漏れた洗浄水を適切に処理することができる。
【００２２】
温水タンク装置２０より便鉢２側に位置する防水壁１５には、上端から防水壁１５の中間高さまで下方に延びる切欠き部１６が設けられている。後ベースプレート１１の上面には、防水壁１５の下端及び防水壁１５に連続して設けられた立壁１５Ａの下端から前方に延びる一対の後凸条部１７Ａが設けられている。後凸条部１７Ａは、切欠き部１６から溢れ出た洗浄水を便鉢２方向に流れるように規制する。
【００２３】
図４に示すように、前ベースプレート１２の下面には、各後凸条部１７Ａの前端から前方へ延ばした延長線を挟むように弾性を有する一対の前凸条部１７Ｂが設けられている。各前凸条部１７Ｂには、中間部から左右の一方側に延びる左右凸条部１７Ｃが形成されている。後ベースプレート１１の前部下面には、左右方向にわたって延びる平板状のパッキン１１Ａが貼付されている。
【００２４】
図５に示すように、後ベースプレート１１及び前ベースプレート１２からなるベースプレート１０を洋風便器本体１の後部上面に載置すると、前ベースプレート１２の下面に設けられた一対の前凸条部１７Ｂは、弾性圧縮され、洋風便器本体１の上面と、前ベースプレート１２の下面とにより、洗浄水が流れ得る隙間Ｓが形成される。
【００２５】
温水タンク装置２０から漏れた洗浄水は、防水壁１５内に一定量溜まるが、それ以上の洗浄水が温水タンク装置２０から漏れると、切欠き部１６から洗浄水が後ベースプレート１１上に溢れ出る。切欠き部１６から溢れ出た洗浄水は、後ベースプレート１１上を後凸条部１７Ａに規制されて流れ、後ベースプレート１１の前端から前ベースプレート１２の下面に流れ落ちる。前ベースプレート１２の下面に流れ落ちた洗浄水は、隙間Ｓを通って、便鉢２の後縁から便鉢２内に確実に排水される。この際、後ベースプレート１１の前部下面にパッキン１１Ａが貼付されているため、洗浄水が後ベースプレート１１の下面後方に流れ込んでしまうことを防止している。このように、洗浄水が局部洗浄装置の任意の箇所から外部に漏水してしまうことを防止することができる。
【００２６】
前ベースプレート１２の上面には、温水タンク装置２０の大気開放弁から排出された捨て水が、排水パイプ２５に接続された図示しない可撓性を有するチューブを介して流れる。この捨て水は、便鉢２を臨むように前ベースプレート１２に形成された排水口１２Ａから便鉢２内に排水される。
【００２７】
図１及び図２に示すように、防水壁１５の内壁面に水位検知センサー１８が設けられている。水位検知センサー１８は、制御装置４０に接続され、防水壁１５内の水位が所定以上になると制御装置４０に信号を出力する。図２及び図３に示すように、後ベースプレート１１に固定され、温水タンク装置２０の上方に位置し、後ベースプレート１１を補強する補強部材１９の上面に、制御装置４０は取り付けられている。制御装置４０は、温水タンク装置２０の開閉弁２２及び便器洗浄装置の開閉弁機構に接続され、開閉弁２２及び開閉弁機構の開閉信号を出力する。また、制御装置４０は、局部洗浄装置及び便器洗浄装置を遠隔操作するリモコン４１に接続されている。リモコン４１は、制御装置４０から出力される信号に基づいて、リモコン４１に設けられた表示部４１Ａの表示を変更させたり、リモコン４１に設けられた報知ランプ４１Ｂを点滅させたりする報知手段としての機能も有している。
【００２８】
このため、温水タンク装置２０から漏水が生じ、防水壁１５内の水が所定以上になると、水位検知センサー１８から制御装置４０へ信号が出力される。すると、制御装置４０は、リモコン４１に信号を出力し、リモコン４１の表示部４１Ａに漏水が生じていることを表示するとともに、報知ランプ４１Ｂを点滅させる。さらに、制御装置４０は、閉弁信号を温水タンク装置２０の開閉弁２２に出力する。このように、洋風水洗式便器の使用者等は温水タンク装置２０からの漏水を確実に知得することができる。また、温水タンク本体２１への洗浄水の供給が停止されるため、温水タンク本体２１からの漏水を確実に止めることができる。さらに、使用者等は、局部洗浄ノズル３０への洗浄水の供給が停止されるため、局部洗浄装置を使用するためにはメンテナンス業者等に修理を依頼しなければならず、温水タンク装置の漏水対策を早期、かつ確実に行うことができる。
【００２９】
以上において、本発明を実施例１に即して説明したが、本発明は上記実施例１に制限されるものではなく、その趣旨に逸脱しない範囲で適宜変更して適用できることはいうまでもない。
【００３０】
例えば、後ベースプレート１１と前ベースプレート１２とが一体に形成されていてもよい。この場合、便鉢２の上方まで延びる一対の凸条部をベースプレートの上面に設けることにより、温水タンク本体２０から漏水した洗浄水を良好に便鉢２内に排水することができる。
【００３１】
防水壁１５の内壁面に水位検知センサー１８を設けなくてもよい。この場合でも、温水タンク本体２０から漏水した洗浄水は、便鉢２内に排水されるため、使用者等は、その変化に気づくことができる。このため、洗浄水が局部洗浄装置の任意の箇所から外部に漏水してしまうことを防止するばかりでなく、早期に温水タンク本体２０の漏水を気付くことができ、早期に対策を行うことができる。
【産業上の利用可能性】
【００３２】
本発明は洋風水洗式便器、便座装置に利用可能である。
【図面の簡単な説明】
【００３３】
【図１】実施例１の洋風水洗式便器の分解斜視図である。
【図２】実施例１の洋風水洗式便器の一部組み付け状態を示す分解斜視図である。
【図３】実施例１の局部洗浄装置の組み付け状態を示す斜視図である。
【図４】実施例１のベースプレートの底面図である。
【図５】実施例１の洋風水洗式便器の一部断面図である。
【符号の説明】
【００３４】
１…洋風便器本体
２…便鉢
１０…ベースプレート
１１…後ベースプレート
１２…前ベースプレート
１５…防水壁
１６…切欠き部
１７Ａ、１７Ｂ…凸条部（１７Ａ…後凸条部、１７Ｂ…前凸条部）
１８…水検知センサー
２０…温水タンク装置
２１…温水タンク本体
２２…開閉弁
３０…局部洗浄ノズル
４１…リモコン（報知手段）
【図１】
0005132380.tif 000002
【図２】
0005132380.tif 000003
【図３】
0005132380.tif 000004
【図４】
0005132380.tif 000005
【図５】
0005132380.tif 000006